(57)【要約】【課題】製造コストの低減を図り得るプロジェクタを提供する。【解決手段】複数のＬＥＤ４１ｒ，４１ｇ，４１ｂが配設されて赤色光Ｌｒ、緑色光Ｌｇおよび青色光Ｌｂを射出するＬＥＤユニット２０ｒ，２０ｇ，２０ｂを有する光源と、光源から射出された赤色光Ｌｒ、緑色光Ｌｇおよび青色光Ｌｂを光変調する液晶ライトバルブ３５ｒ，３５ｇ，３５ｂとを備え、液晶ライトバルブ３５によって光変調した投射光Ｌｐをスクリーンに投射することによって表示画像を投射表示可能に構成されたプロジェクタ１であって、光源は、すべてのＬＥＤ４１を点灯させた状態において液晶ライトバルブ３５に入射する赤色光Ｌｒ、緑色光Ｌｇ、および青色光Ｌｂの光量の比が所定の条件を満たすように、各ＬＥＤユニット２０のうちのいずれか１つが他のＬＥＤユニット２０とは異なる数のＬＥＤ４１を備えて構成されている。【選択図】        図２
2005003900.tif 000002
【特許請求の範囲】
【請求項１】
複数の発光ダイオードが配設されて赤色光を射出する第１の光射出部、複数の発光ダイオードが配設されて緑色光を射出する第２の光射出部、および複数の発光ダイオードが配設されて青色光を射出する第３の光射出部を有する光源と、当該光源から射出された前記赤色光、前記緑色光および前記青色光を光変調する光変調手段とを備え、当該光変調手段によって光変調した光をスクリーンに投射することによって当該スクリーンに表示画像を投射表示可能に構成されたプロジェクタであって、
前記光源は、すべての前記発光ダイオードを点灯させた状態において前記光変調手段に入射する前記赤色光、前記緑色光、および前記青色光の光量の比が所定の条件を満たすように、前記第１の光射出部、前記第２の光射出部および前記第３の光射出部のうちのいずれか１つが他の当該光射出部とは異なる数の前記発光ダイオードを備えて構成されているプロジェクタ。
【請求項２】
前記光源は、前記所定の条件を満たすように配設された前記各発光ダイオードとは別個に点灯制御されて前記赤色光、前記緑色光、および前記青色光のうちの少なくともいずれかを増光するための色合い調整用発光ダイオードを備えて構成されている請求項１記載のプロジェクタ。
【請求項３】
前記光源は、前記所定の条件を満たすように配設された前記各発光ダイオードのうちの一部が当該一部を除く他の前記各発光ダイオードとは別個に消灯制御されて前記赤色光、前記緑色光、および前記青色光のうちの少なくともいずれかを減光可能に構成されている請求項１または２記載のプロジェクタ。
【発明の詳細な説明】
【０００１】
【発明の属する技術分野】
本発明は、発光ダイオードを備えて構成された光源から射出された光を光変調してスクリーンに表示画像を投射表示可能に構成されたプロジェクタに関するものである。
【０００２】
【従来の技術】
消費電力の低減や装置の小形化を図るために、高圧水銀ランプ等の光源に代えて、高輝度の発光ダイオードを光源として採用したプロジェクタが考案されている。この種のプロジェクタの一例として、複数の発光ダイオード（１１〜１５）を有するＬＥＤ光源（１０１〜１０３）を備えて構成された画像投射装置が特開２００２−２４４２１１号公報に開示されている。この場合、ＬＥＤ光源（１０１）は、青色の発光ダイオード（１１〜１５）を複数備えて青色光を射出可能に構成され、ＬＥＤ光源（１０２）は、緑色の発光ダイオード（１１〜１５）を複数備えて緑色光を射出可能に構成され、ＬＥＤ光源（１０３）は、赤色の発光ダイオード（１１〜１５）を複数備えて赤色光を射出可能に構成されている。この画像投射装置では、各ＬＥＤ光源（１０１〜１０３）を順に切り替え点灯させて青色光、緑色光および赤色光を順に射出すると共に、ＬＥＤ光源（１０１〜１０３）の点灯切り替えタイミングに同期させて、液晶ライトバルブ（１４１）によって青色光、緑色光および赤色光を順に光変調する単板式の光変調方式が採用されている。
【０００３】
具体的には、ＬＥＤ光源（１０１）を点灯させた際には、ＬＥＤ光源（１０１）から射出された青色光が偏光変換素子（１１１）によって偏光された後にダイクロイックプリズム（１２１）および偏光ビームスプリッタ−（１３１）によって反射されて反射型の液晶ライトバルブ（１４１）に向けて照射される。この際に、液晶ライトバルブ（１４１）によって光変調された青色光（変調後の青色光）は、偏光ビームスプリッタ−（１３１）を通過して、投射レンズ（１５１）によってスクリーンに向けて投射される。また、ＬＥＤ光源（１０２）を点灯させた際には、ＬＥＤ光源（１０２）から射出された緑色光が偏光変換素子（１１２）によって偏光された後にダイクロイックプリズム（１２１）および偏光ビームスプリッタ−（１３１）によって反射されて液晶ライトバルブ（１４１）に向けて照射される。この際に、液晶ライトバルブ（１４１）によって光変調された緑色光（変調後の緑色光）は、偏光ビームスプリッタ−（１３１）を通過して、投射レンズ（１５１）によってスクリーンに向けて投射される。さらに、ＬＥＤ光源（１０３）を点灯させた際には、ＬＥＤ光源（１０３）から射出された赤色光が偏光変換素子（１１３）によって偏光された後にダイクロイックプリズム（１２１）および偏光ビームスプリッタ−（１３１）によって反射されて液晶ライトバルブ（１４１）に向けて照射される。この際に、液晶ライトバルブ（１４１）によって光変調された赤色光（変調後の赤色光）は、偏光ビームスプリッタ−（１３１）を通過して、投射レンズ（１５１）によってスクリーンに向けて投射される。このように、ＬＥＤ光源（１０１〜１０３）の切り替え点灯と、液晶ライトバルブ（１４１）による光変調とを極く短い周期で繰り返して実行することにより、カラーの表示画像がスクリーンに投射表示される。
【０００４】
【特許文献１】
特開２００２−２４４２１１号公報（第４−５頁）
【０００５】
【発明が解決しようとする課題】
ところが、従来の画像投射装置には、以下の問題点がある。すなわち、この画像投射装置では、ＬＥＤ光源（１０１〜１０３）がそれぞれ同数の発光ダイオード（１１〜１５）を備えて構成され、これらを切り替え点灯させることによって青色光、緑色光および赤色光を順に射出している。この場合、表示画像を自然な色調で（ホワイトバランス調整した状態で）スクリーンに投射表示するためには、液晶ライトバルブ（１４１）に入射させる青色光、緑色光および赤色光の光量の比を一例として１：６：３とする必要がある。また、青色の発光ダイオード、緑色の発光ダイオードおよび赤色の発光ダイオードは、同一電流値の電流を供給した際の輝度（発光効率）がそれぞれ相違する。したがって、各々の輝度が相違する発光ダイオード（１１〜１５）を同数だけ備えたＬＥＤ光源（１０１〜１０３）から、その光量比が１：６：３となるように青色光、緑色光および赤色光を射出するためには、低輝度の発光ダイオードに合わせて、高輝度の発光ダイオードに対する供給電流を減らして輝度を低下させる必要がある。この結果、従来の画像投射装置には、供給電流を減らして輝度を低下させているにも拘わらず、高輝度の発光ダイオードを低輝度の発光ダイオードと同数有していることに起因して、製造コストが高騰しているという問題点がある。
【０００６】
本発明は、かかる問題点に鑑みてなされたものであり、製造コストの低減を図り得るプロジェクタを提供することを主目的とする。
【０００７】
【課題を解決するための手段】
上記目的を達成すべく本発明に係るプロジェクタは、複数の発光ダイオードが配設されて赤色光を射出する第１の光射出部、複数の発光ダイオードが配設されて緑色光を射出する第２の光射出部、および複数の発光ダイオードが配設されて青色光を射出する第３の光射出部を有する光源と、当該光源から射出された前記赤色光、前記緑色光および前記青色光を光変調する光変調手段とを備え、当該光変調手段によって光変調した光をスクリーンに投射することによって当該スクリーンに表示画像を投射表示可能に構成されたプロジェクタであって、前記光源は、すべての前記発光ダイオードを点灯させた状態において前記光変調手段に入射する前記赤色光、前記緑色光、および前記青色光の光量の比が所定の条件を満たすように、前記第１の光射出部、前記第２の光射出部および前記第３の光射出部のうちのいずれか１つが他の当該光射出部とは異なる数の前記発光ダイオードを備えて構成されている。この場合、所定の条件を満たす光量の比としては、表示画像を自然な色合いで表示し得る光量比（一例として、赤色光、緑色光および青色光の光量比が２４：７０：６）などの各種の光量比が含まれる。
【０００８】
このプロジェクタでは、すべての発光ダイオードを点灯（発光）させた際に、各光射出部から例えば２４：７０：６の光量比で赤色光、緑色光および青色光が射出されるように各光射出部毎の発光ダイオードの数が規定されている。したがって、各光射出部毎に異なる電流値の電流を供給して輝度を低下させる従来の構成とは異なり、各発光ダイオードの発光能力を十分に発揮させて、必要最低限の数の発光ダイオードで各光射出部を構成することが可能になる結果、プロジェクタの製造コストを十分に低減することが可能となる。
【０００９】
さらに、本発明に係るプロジェクタは、上記のプロジェクタにおいて、前記光源は、前記所定の条件を満たすように配設された前記各発光ダイオードとは別個に点灯制御されて前記赤色光、前記緑色光、および前記青色光のうちの少なくともいずれかを増光するための色合い調整用発光ダイオードを備えて構成されている。
【００１０】
このプロジェクタでは、例えば、スクリーンに投射表示されている表示画像を暖色系の色調に変更するときには、赤色光を増光させる色合い調整用発光ダイオード（赤色発光ダイオード）を点灯させる。この際には、光変調手段に入射する赤色光が増光される結果、各光射出部における各発光ダイオードに供給している電流の電流値を変化させることなく、表示画像の色調を容易に暖色系（画像全域に亘って赤みがかった画像）に変化させることが可能となる。
【００１１】
また、本発明に係るプロジェクタは、上記のプロジェクタにおいて、前記光源は、前記所定の条件を満たすように配設された前記各発光ダイオードのうちの一部が当該一部を除く他の前記各発光ダイオードとは別個に消灯制御されて前記赤色光、前記緑色光、および前記青色光のうちの少なくともいずれかを減光可能に構成されている。
【００１２】
このプロジェクタでは、例えば、スクリーンに投射表示されている表示画像を暖色系の色調に変更するときには、緑色光を射出する発光ダイオードの一部、および青色光を射出する発光ダイオードの一部を消灯させる。この際には、光変調手段に入射する緑色光および青色光が減光される結果、各光射出部における各発光ダイオードに供給している電流の電流値を変化させることなく、表示画像の色調を容易に暖色系（画像全域に亘って赤みがかった画像）に変化させることが可能となる。
【００１３】
【発明の実施の形態】
以下、添付図面を参照して、本発明に係るプロジェクタの好適な発明の実施の形態について説明する。
【００１４】
最初に、プロジェクタ１の構成について説明する。図１に示すプロジェクタ１は、後述する液晶ライトバルブ３５を３枚（３つ）備えて赤色光、緑色光および青色光を別個に光変調した後に合成して射出する３板式のプロジェクタであって、外部装置（ビデオデッキおよびＤＶＤプレーヤ等の再生装置やパーソナルコンピュータ）によって出力された画像信号Ｓに基づいて各種カラー画像をスクリーン６に投射表示可能に構成されている。具体的には、プロジェクタ１は、光学ユニット２、画像データ処理部３、制御部４およびＬＥＤ駆動部５を備えて構成されている。なお、プロジェクタ１は、実際には、音声信号処理部およびスピーカ等を備えているが、本発明についての理解を容易とするために、これらについての図示および説明を省略する。光学ユニット２は、図２に示すように、ＬＥＤユニット２０ｒ，２０ｇ，２０ｂ（以下、区別しないときには「ＬＥＤユニット２０」ともいう）、光変調部２１ｒ，２１ｇ，２１ｂ（以下、区別しないときには「光変調部２１」ともいう）、プリズム２２および投射レンズ２３を備えて構成されている。
【００１５】
ＬＥＤユニット２０ｒ，２０ｇ，２０ｂは、それぞれ本発明における第１から第３の光射出部を構成し、これらが相俟って本発明における光源を構成する。ＬＥＤユニット２０ｒは、図３に示すように、基板上に例えばマトリクス状に配設されて赤色光Ｌｒ（図２参照）を射出する２８個のＬＥＤ（赤色の発光ダイオード）４１ｒ，４１ｒ・・を備えて構成されている。また、ＬＥＤユニット２０ｇは、図４に示すように、基板上にマトリクス状に配設されて緑色光Ｌｇ（図２参照）を射出する２８個のＬＥＤ（緑色の発光ダイオード）４１ｇ，４１ｇ・・を備えて構成されている。さらに、ＬＥＤユニット２０ｂは、図５に示すように、基板上にマトリクス状に配設されて青色光Ｌｂ（図２参照）を射出する１６個のＬＥＤ（青色の発光ダイオード）４１ｂ，４１ｂ・・を備えて構成されている。また、図２に示すように、各ＬＥＤユニット２０における基板の背面には、冷却用の放熱フィン３７および送風ファン３８が取り付けられている。
【００１６】
また、このプロジェクタ１では、ＬＥＤ４１ｒ，４１ｒ・・の数（この場合、２８個）と、ＬＥＤ４１ｇ，４１ｇ・・の数（２８個）と、ＬＥＤ４１ｂ，４１ｂ・・の数（１６個）との比（以下、「数量比」ともいう）が、液晶ライトバルブ３５に入射させるべき赤色光Ｌｒの光量、緑色光Ｌｇの光量、および青色光Ｌｂの光量の比（以下、「光量比」ともいう）に応じて規定されている。この場合、自然な色調で（ホワイトバランス調整した状態で）純白色のスクリーン６に表示画像を投射表示するためには、液晶ライトバルブ３５に入射させる赤色光Ｌｒ、緑色光Ｌｇおよび青色光Ｌｂ（以下、区別しないときには「光Ｌ」ともいう）の光量比を２４：７０：６とする必要がある（本発明における「所定の条件」の一例）。また、ＬＥＤ４１ｒ、ＬＥＤ４１ｇおよびＬＥＤ４１ｂは（以下、区別しないときには「ＬＥＤ４１」ともいう）、その輝度（例えば最大許容電流に対する８０％程度の電流を供給して点灯させた際の輝度）が互いに相違する。したがって、各ＬＥＤ４１の数量比を光量比と等しい２４：７０：６とした場合、液晶ライトバルブ３５に入射する光Ｌの光量比が所望の光量比（この場合、２４：７０：６）とは一致しない。このため、このプロジェクタ１では、各ＬＥＤ４１の輝度の違いを考慮して、その数量比を例えば７：７：４に規定することにより、液晶ライトバルブ３５に入射する光Ｌの光量比が２４：７０：６となるように設計されている。
【００１７】
光変調部２１ｒは、ＬＥＤユニット２０ｒによって射出された赤色光Ｌｒを光変調するユニットであって、同図に示すように、レンズアレイ３２，３３、入射側偏光板３４、液晶ライトバルブ３５ｒおよび射出側偏光板３６を備えて構成されている。光変調部２１ｇは、ＬＥＤユニット２０ｇによって射出された緑色光Ｌｇを光変調するユニットであって、レンズアレイ３２，３３、入射側偏光板３４、液晶ライトバルブ３５ｇおよび射出側偏光板３６を備えて構成されている。光変調部２１ｂは、ＬＥＤユニット２０ｂによって射出された青色光Ｌｂを光変調するユニットであって、レンズアレイ３２，３３、入射側偏光板３４、液晶ライトバルブ３５ｂおよび射出側偏光板３６を備えて構成されている。この場合、液晶ライトバルブ３５ｒ，３５ｇ，３５ｂ（以下、区別しないときには「液晶ライトバルブ３５」ともいう）が本発明における光変調手段を構成する。
【００１８】
レンズアレイ３２，３３は、複数の小径レンズがマトリクス状に配列されて一体成形されている。この場合、レンズアレイ３２，３３は、ＬＥＤユニット２０と液晶ライトバルブ３５との間に配設されて、ＬＥＤユニット２０から射出された光Ｌ（発散光）を平行光に変換する。また、レンズアレイ３２，３３は、液晶ライトバルブ３５の全域に亘って光Ｌをほぼ均一に入射させるためのオプティカルインテグレータとして機能する。入射側偏光板３４は、液晶ライトバルブ３５とほぼ等しい形状で、かつほぼ等しい大きさに形成されている。この入射側偏光板３４は、レンズアレイ３３と液晶ライトバルブ３５との間に配設されて、レンズアレイ３２，３３によって平行光に変換された光Ｌを直線偏光して液晶ライトバルブ３５に入射させる。液晶ライトバルブ３５は、例えば透過型の光変調素子であって、画像データ処理部３によって出力される画像データＤｒ，Ｄｇ，Ｄｂに基づいて赤色光Ｌｒ、緑色光Ｌｇおよび青色光Ｌｂをそれぞれ光変調する。射出側偏光板３６は、液晶ライトバルブ３５によって変調された光Ｌを偏光する。プリズム２２は、各液晶ライトバルブ３５ｒ，３５ｇ，３５ｂによってそれぞれ光変調された赤色光Ｌｒ、緑色光Ｌｇおよび青色光Ｌｂを合成して投射光Ｌｐを生成して投射レンズ２３に射出する。投射レンズ２３は、プリズム２２によって射出された投射光Ｌｐを拡大してスクリーン６に向けて投射する。
【００１９】
画像データ処理部３は、外部装置によって出力された画像信号Ｓに基づいて、画像信号Ｓに対応する表示画像のうちの赤色成分についての画像データＤｒ、緑色成分についての画像データＤｇ、および青色成分についての画像データＤｂ（以下、区別しないときには「画像データＤ」ともいう）を生成して光学ユニット２（液晶ライトバルブ３５）に出力する。制御部４は、ＬＥＤ駆動部５によるＬＥＤユニット２０の駆動状態や、画像データ処理部３による画像データＤの生成および光学ユニット２への出力などを制御する。ＬＥＤ駆動部５は、制御部４の制御下で各ＬＥＤユニット２０に対してほぼ等しい電流値の電流（一例として、ＬＥＤ４１の最大許容電流に対する８０％程度の電流：以下、「駆動電流」ともいう）を供給する。
【００２０】
次に、プロジェクタ１の全体的な動作について、図面を参照して説明する。このプロジェクタ１では、電源が投入された際に、ＬＥＤ駆動部５が各ＬＥＤユニット２０に駆動電流を供給する。これに応じて、ＬＥＤユニット２０ｒ，２０ｇ，２０ｂの各ＬＥＤ４１が点灯（発光）して赤色光Ｌｒ、緑色光Ｌｇおよび青色光Ｌｂをそれぞれ射出する。この場合、このプロジェクタ１では、前述したように、ＬＥＤユニット２０ｒ，２０ｇ，２０ｂの各ＬＥＤ４１の数量比を例えば７：７：４に規定することによって、液晶ライトバルブ３５に入射する光Ｌの光量比が２４：７０：６となるように設計されている。したがって、ＬＥＤ駆動部５が各ＬＥＤユニット２０に対してほぼ等しい電流値の駆動電流を供給するだけで、その光量比が２４：７０：６の赤色光Ｌｒ、緑色光Ｌｇおよび青色光Ｌｂが射出される。
【００２１】
次に、レンズアレイ３２，３３がＬＥＤユニット２０から射出された光Ｌを平行光に変換し、入射側偏光板３４がレンズアレイ３２，３３によって平行光に変換された光Ｌを直線偏光する。次いで、制御部４によって出力された画像データＤに基づいて液晶ライトバルブ３５が光Ｌを光変調する。この際に、液晶ライトバルブ３５ｒが画像データＤｒに基づいて赤色光Ｌｒを光変調し、液晶ライトバルブ３５ｇが画像データＤｇに基づいて緑色光Ｌｇを光変調し、液晶ライトバルブ３５ｂが画像データＤｂに基づいて青色光Ｌｂを光変調する。次に、射出側偏光板３６が、各液晶ライトバルブ３５によって光変調された光Ｌの振幅方向を揃えてプリズム２２に射出する。次いで、プリズム２２が、各液晶ライトバルブ３５ｒ，３５ｇ，３５ｂによって変調された赤色光Ｌｒ、緑色光Ｌｇおよび青色光Ｌｂを合成して投射光Ｌｐを射出する。続いて、投射レンズ２３が、プリズム２２によって合成された投射光Ｌｐを拡大してスクリーン６に投射する。これにより、スクリーン６に表示画像がカラー表示される。この場合、赤色光Ｌｒ、緑色光Ｌｇおよび青色光Ｌｂが約２４：７０：６の光量比で液晶ライトバルブ３５ｒ，３５ｇ，３５ｂに入射させられているため、自然な色調で表示画像が表示される。
【００２２】
このように、このプロジェクタ１によれば、すべてのＬＥＤ４１を点灯させた状態において液晶ライトバルブ３５に入射する赤色光Ｌｒ、緑色光Ｌｇ、および青色光Ｌｂの光量の比が２４：７０：６となるように、ＬＥＤユニット２０ｒ，２０ｇとは異なる数のＬＥＤ４１を配設してＬＥＤユニット２０ｂを構成したことにより、各ＬＥＤユニット２０に対してＬＥＤ駆動部５からほぼ等しい電流値の駆動電流を供給してすべてのＬＥＤ４１を点灯させるだけで、赤色光Ｌｒ、緑色光Ｌｇおよび青色光Ｌｂの光量比を２４：７０：６（所望の光量比）とすることができる。したがって、低輝度の発光ダイオードに合わせて供給電流を減らして輝度を低下させている従来の構成とは異なり、すべてのＬＥＤ４１ｒ，４１ｇ，４１ｂの発光能力を十分に発揮させて、少なくとも１つまたは２つのＬＥＤユニット２０を構成するＬＥＤ４１（この例では、ＬＥＤユニット２０ｂのＬＥＤ４１ｂ）の数を必要最低限の数に抑えることができる。このため、各ＬＥＤユニット２０に使用される発光ダイオードの数を少なくできる分だけ、プロジェクタ１の製造コストを十分に低減することができる。この場合、本発明における所定の条件として、液晶ライトバルブ３５に入射する光量の比が２４：７０：６となるように各ＬＥＤユニット２０に配設するＬＥＤ４１の数を規定したことにより、自然な色調の表示画像（ホワイトバランス調整された状態の表示画像）を容易に投射表示することができる。
【００２３】
なお、本発明は、上記した本発明の実施の形態に限定されない。例えば、本発明の実施の形態では、液晶ライトバルブ３５に入射する赤色光Ｌｒ、緑色光Ｌｇおよび青色光Ｌｂの光量比を２４：７０：６とするようにＬＥＤ４１ｒ，４１ｇ，４１ｂの数量比を７：７：４に規定した例について説明したが、本発明はこれに限定されない。具体的には、一般的な色調の画像信号Ｓを入力して暖色系の色調で表示画像を投射表示するには、各液晶ライトバルブ３５に入射する赤色光Ｌｒ、緑色光Ｌｇおよび青色光Ｌｂの光量比を例えば９６：２４５：２１（本発明における「所定条件」の他の一例）とするために、ＬＥＤ４１ｒ，４１ｇ，４１ｂの数量比を例えば８：７：４とすればよい。また、一般的な色調の画像信号Ｓを入力して寒色系の色調で表示画像を投射表示するには、各液晶ライトバルブ３５に入射する赤色光Ｌｒ、緑色光Ｌｇおよび青色光Ｌｂの光量比を例えば４８：１４０：１５（本発明における「所定条件」のさらに他の一例）とするために、ＬＥＤ４１ｒ，４１ｇ，４１ｂの数量比を例えば７：７：５とすればよい。
【００２４】
また、図３〜５に示すように、光源として常時点灯させるＬＥＤ４１ｒ，４１ｇ，４１ｂとは別個に点灯および消灯可能なＬＥＤ４１ｒｘ（赤色光Ｌｒを増光するための色合い調整用発光ダイオード）と、ＬＥＤ４１ｇｘ（緑色光Ｌｇを増光するための色合い調整用発光ダイオード）と、ＬＥＤ４１ｂｘ（青色光Ｌｂを増光するための色合い調整用発光ダイオード）とを各ＬＥＤユニット２０に配設して、これらのうちの１つまたは複数を適宜点灯させることによって各液晶ライトバルブ３５に入射する赤色光Ｌｒ、緑色光Ｌｇおよび青色光Ｌｂの光量比を変化させる構成を採用することができる。この構成によれば、ＬＥＤ駆動部５から各ＬＥＤ４１ｒ，４１ｇ，４１ｇに供給される駆動電流の電流値を変化させることなく、スクリーン６の色、プロジェクタ１の設置環境における照明光の色、および画像信号Ｓの色調などに応じて表示画像の色調を調整して表示させることができる。
【００２５】
また、ＬＥＤ４１ｒのうちの一部、ＬＥＤ４１ｇのうちの一部、およびＬＥＤ４１ｂのうちの一部に対する消灯制御をこれらを除く他のＬＥＤ４１に対する消灯制御とは別個に実行可能に各ＬＥＤユニット２０を変更することもできる。この変更したＬＥＤユニット２０では、上記の他のＬＥＤ４１を点灯させている状態において上記の各一部のＬＥＤ４１のいずれかを消灯制御する。この結果、各液晶ライトバルブ３５に入射する赤色光Ｌｒ、緑色光Ｌｇおよび青色光Ｌｂのいずれかが減光させられて各光Ｌの光量比が変化する。この構成によっても、ＬＥＤ駆動部５から各ＬＥＤ４１ｒ，４１ｇ，４１ｇに供給される駆動電流の電流値を変化させることなく、スクリーン６の色、プロジェクタ１の設置環境における照明光の色、および画像信号Ｓの色調などに応じて表示画像の色調を調整して表示させることができる。この場合、このＬＥＤユニット２０に上記の色合い調整用のＬＥＤ４１ｒｘ，４１ｇｘ，４１ｂｘをさらに配設してもよい。
【００２６】
さらに、本発明の実施の形態では、３板式のプロジェクタを例に挙げて説明したが、赤色光Ｌｒ、緑色光Ｌｇおよび青色光Ｌｂを１枚の液晶ライトバルブで光変調する単板式のプロジェクタに本発明を適用することができる。この場合、ＬＥＤユニット２０ｒ，２０ｇ，２０ｂに代えて、ＬＥＤ４１ｒ，４１ｇ，４１ｂ・・を所定の数量比で１枚の基板上に配列したＬＥＤユニットを採用することもできる。また、本発明における光変調手段は、通過型（透過型）の液晶ライトバルブに限定されず、反射型の液晶ライトバルブなどの各種光変調素子を採用することができる。さらに、本発明の実施の形態では、背面投射型のプロジェクタ１を例に挙げて説明したが、本発明はこれに限定されず、前面投射型のプロジェクタに適用することもできる。
【図面の簡単な説明】
【図１】プロジェクタ１の構成を示すブロック図である。
【図２】光学ユニット２の概略構成を示す断面図である。
【図３】ＬＥＤユニット２０ｒの構成を示す平面図である。
【図４】ＬＥＤユニット２０ｇの構成を示す平面図である。
【図５】ＬＥＤユニット２０ｂの構成を示す平面図である。
【符号の説明】
１  プロジェクタ、４  制御部、５  ＬＥＤ駆動部、６  スクリーン、２０ｒ，２０ｇ，２０ｂ  ＬＥＤユニット、３５ｒ，３５ｇ，３５ｂ  液晶ライトバルブ、４１ｒ，４１ｇ，４１ｂ，４１ｒｘ，４１ｇｘ，４１ｂｘ  ＬＥＤ、Ｌｂ  青色光、Ｌｇ  緑色光、Ｌｒ  赤色光
【図１】
2005003900.tif 000003
【図２】
2005003900.tif 000004
【図３】
2005003900.tif 000005
【図４】
2005003900.tif 000006
【図５】
2005003900.tif 000007